【手続補正書】
【提出日】平成25年4月8日(2013.4.8)
【手続補正１】
【補正対象書類名】特許請求の範囲
【補正対象項目名】全文
【補正方法】変更
【補正の内容】
【特許請求の範囲】
【請求項１】
無端の搬送面を移動させることによって記録媒体を搬送する搬送機構と、
記録媒体に画像を形成する第１液体を吐出するための第１吐出口が形成された第１液体ヘッドと、
記録媒体の搬送方向に関して前記第１液体ヘッドと異なる位置に設けられ、前記第１液体に作用して前記第１液体中の成分を凝集又は析出させる第２液体を吐出するための第２吐出口が形成された第２液体ヘッドと、
前記第１液体を前記第１吐出口から排出させる第１排出手段と、
前記第２液体を前記第２吐出口から排出させる第２排出手段と、
前記搬送面に当接することにより、前記搬送面に付着した前記第１液体を除去する第１除去部材を有する第１クリーニング機構と、
前記搬送面に当接することにより、前記搬送面に付着した前記第２液体を除去する第２除去部材を有する第２クリーニング機構と、
前記搬送機構、前記第１及び前記第２排出手段並びに前記第１及び前記第２クリーニング機構を制御する制御手段とを備え、
前記第１液体ヘッドが、前記搬送方向に関する前記第２液体ヘッドの下流側に配置されており、
前記第１除去部材が、前記搬送方向に関する前記第１液体ヘッドの下流側に配置されており、
前記第２除去部材が、前記搬送方向に関する第１液体ヘッドと前記第２液体ヘッドの間に配置されており、
前記制御手段は、前記第１液体を前記搬送面上に排出させるように前記搬送機構と前記第１排出手段を制御した後に、前記第１吐出口から前記搬送面に排出されることで前記搬送面に付着した前記第１液体が、前記第２除去部材及び前記第２吐出口に対向する位置に到達せずに前記第１除去部材で除去されるように前記搬送機構と前記第１クリーニング機構を制御し、その後、前記第２液体を前記搬送面上に排出させるように前記搬送機構と前記第２排出手段を制御した後に、前記第２吐出口から前記搬送面に排出されることで前記搬送面に付着した前記第２液体が、前記第１除去部材及び前記第１吐出口に対向する位置に到達せずに前記第２除去部材で除去されるように前記搬送機構と前記第２クリーニング機構を制御することを特徴とする液体吐出装置。
【請求項２】
前記第１クリーニング機構は、前記第１除去部材によって除去された前記第１液体を貯溜する第１貯溜機構をさらに有し、
前記第２クリーニング機構は、前記第２除去部材によって除去された前記第２液体を貯溜する第２貯溜機構をさらに有し、
前記第１除去部材によって除去された前記第１液体を前記第１貯溜機構に導く流路と、前記第２除去部材によって除去された前記第２液体を前記第２貯溜機構に導く流路とが互いに異なっていることを特徴とする請求項１に記載の液体吐出装置。
【請求項３】
前記第１及び第２除去部材の少なくともいずれかが、前記搬送面における上方を向いた平面領域において前記搬送面に付着した前記第１又は前記第２液体を除去することを特徴とする請求項１又は２に記載の液体吐出装置。
【請求項４】
前記第１除去部材が、前記搬送面における上方から下方に向かって湾曲する湾曲面において前記搬送面に付着した前記第１液体を除去することを特徴とする請求項１又は２に記載の液体吐出装置。
【請求項５】
前記制御手段は、前記搬送面における第１排出領域に前記第１吐出口からの液体が排出されると共に、前記搬送面における前記搬送方向に関して前記第１排出領域と異なる第２排出領域に前記第２吐出口からの液体が排出されるように、前記搬送機構、前記第１排出手段及び前記第２排出手段を制御することを特徴とする請求項１〜４のいずれか１項に記載の液体吐出装置。
【手続補正２】
【補正対象書類名】明細書
【補正対象項目名】０００６
【補正方法】変更
【補正の内容】
【０００６】
本発明の液体吐出装置は、無端の搬送面を移動させることによって記録媒体を搬送する搬送機構と、記録媒体に画像を形成する第１液体を吐出するための第１吐出口が形成された第１液体ヘッドと、記録媒体の搬送方向に関して前記第１液体ヘッドと異なる位置に設けられ、前記第１液体に作用して前記第１液体中の成分を凝集又は析出させる第２液体を吐出するための第２吐出口が形成された第２液体ヘッドと、前記第１液体を前記第１吐出口から排出させる第１排出手段と、前記第２液体を前記第２吐出口から排出させる第２排出手段と、前記搬送面に当接することにより、前記搬送面に付着した前記第１液体を除去する第１除去部材を有する第１クリーニング機構と、前記搬送面に当接することにより、前記搬送面に付着した前記第２液体を除去する第２除去部材を有する第２クリーニング機構と、前記搬送機構、前記第１及び前記第２排出手段並びに前記第１及び前記第２クリーニング機構を制御する制御手段とを備えている。前記第１液体ヘッドが、前記搬送方向に関する前記第２液体ヘッドの下流側に配置されており、前記第１除去部材が、前記搬送方向に関する前記第１液体ヘッドの下流側に配置されており、前記第２除去部材が、前記搬送方向に関する第１液体ヘッドと前記第２液体ヘッドの間に配置されている。前記制御手段は、前記第１液体を前記搬送面上に排出させるように前記搬送機構と前記第１排出手段を制御した後に、前記第１吐出口から前記搬送面に排出されることで前記搬送面に付着した前記第１液体が、前記第２除去部材及び前記第２吐出口に対向する位置に到達せずに前記第１除去部材で除去されるように前記搬送機構と前記第１クリーニング機構を制御し、その後、前記第２液体を前記搬送面上に排出させるように前記搬送機構と前記第２排出手段を制御した後に、前記第２吐出口から前記搬送面に排出されることで前記搬送面に付着した前記第２液体が、前記第１除去部材及び前記第１吐出口に対向する位置に到達せずに前記第２除去部材で除去されるように前記搬送機構と前記第２クリーニング機構を制御する。
【手続補正３】
【補正対象書類名】明細書
【補正対象項目名】０００７
【補正方法】変更
【補正の内容】
【０００７】
本発明によると、搬送面に排出された第１液体と第２液体とが互いに混ざり合うことがないため、搬送面や第１及び第２クリーニング機構において、凝集物や析出物が発生して固着するのを抑制することができる。これにより、搬送機構に係る記録媒体の搬送能力や、第１及び第２クリーニング機構に係る搬送面のクリーニング能力が低下するのを防止することができる。また、第１吐出口から排出した液体を、第２吐出口に対向する位置を通過させることなく除去することができると共に、第２吐出口から排出した液体を、第１吐出口に対向する位置を通過させることなく除去することができる。これにより、搬送面に吐出された第１液体及び第２液体が、それぞれ第２吐出口及び第１吐出口に付着するのを防止することができる。また、第１液体を第１除去部材により除去するときと、第２液体を第２除去部材により除去するときとで、無端の搬送面の搬送方向を切り替える必要がないため、第１液体の除去と第２液体の除去を連続した動作で行うことで、メンテナンス動作を素早く完了させることができる。
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】変更
【補正の内容】
【００１１】
または、前記第１除去部材の少なくともいずれかが、前記搬送面における上方から下方に向かって湾曲する湾曲面において前記搬送面に付着した前記第１液体を除去してもよい。これによると、搬送面に付着した第１液体が盛り上がった状態で除去されるので、排出された各液体を効率よく除去することができる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１５
【補正方法】変更
【補正の内容】
【００１５】
本発明によると、搬送面に排出された第１液体と第２液体とが互いに混ざり合うことがないため、搬送面や第１及び第２クリーニング機構において、凝集物や析出物が発生するのを抑制することができる。これにより、搬送機構に係る記録媒体の搬送能力や、第１及び第２クリーニング機構に係る搬送面のクリーニング能力が低下するのを防止することができる。また、第１吐出口から排出した液体を、第２吐出口に対向する位置を通過させることなく除去することができると共に、第２吐出口から排出した液体を、第１吐出口に対向する位置を通過させることなく除去することができる。これにより、搬送面に吐出された第１液体及び第２液体が、それぞれ第２吐出口及び第１吐出口に付着するのを防止することができる。また、第１液体を第１除去部材により除去するときと、第２液体を第２除去部材により除去するときとで、無端の搬送面の搬送方向を切り替える必要がないため、第１液体の除去と第２液体の除去を連続した動作で行うことで、メンテナンス動作を素早く完了させることができる。